(57)【特許請求の範囲】
【請求項１】
外周壁が一体に立ち上がり形成されたカートリッジ本体と、
このカートリッジ本体の内部に回動自在に配設される一対のテープリールと、一方のテープリールから繰り出されて、他方のテープリールに巻取られる磁気テープとを備え、
カートリッジ本体の外周壁には、チェンジャ装置側のアームに係合されるアーム係合凹部が設けられるとともに、この前方側には、滑り止め凹凸部が設けられ、このアーム係合凹部の後方側に形成された複数個の先端部が鋭利に形成された凸部からなるアーム引き出し凹凸部が設けられ、
上記アーム引き出し凹凸部は、これら凸部から凸部までの長さ寸法が、上記アーム係合凹部の溝底部の長さ寸法より小とされるとともに、
上記カートリッジ本体の外周壁は、上記アーム引き出し凹凸部の近傍の平坦面の長さ寸法が、上記アーム係合凹部の溝底部の長さ寸法より小とされ、
上記アーム引き出し凹凸部は、上記チェンジャ装置側のアームによって把持されることを特徴とするテープカートリッジ。
【発明の詳細な説明】
【０００１】
【発明の属する技術分野】
本発明は、磁気テープを巻回した一対のテープリールをカートリッジ本体の内部に回転自在に収納したテープカートリッジに関する。
【０００２】
【従来の技術】
テープカートリッジは、一般に一対のハーフを組み合わせて構成したカートリッジ本体の内部に、磁気テープ等のテープ状記録媒体を巻回した一対のテープリールが回転自在に収納されている。例えば、ビデオテープレコーダ用テープカートリッジ、データ記録用テープカートリッジ或いはＤＡＴ用テープカートリッジ等においては、ビデオテープレコーダ等の記録再生装置に装填されることにより、カートリッジ本体から磁気テープが記録再生部へと引き出されるテープローディング動作が行われる。
【０００３】
従来のこれらのテープカートリッジ２００は、図１９に示すように、前面部がそれぞれ開放された矩形略浅皿状の下ハーフ２０２と上ハーフ２０３とを組み合わせてカートリッジ本体２０１が構成される。このカートリッジ本体２０１には、図示しないが、磁気テープを巻回した一対のテープリールが回転自在に収納されるとともに、開放された前面部にローディング空間部が構成されている。ローディング空間部には、テープカートリッジ２００が記録再生装置に装填されると、この記録再生装置側のテープローディング手段が進入する。ローディング空間部は、カートリッジ本体２０１に回動自在に支持されたリッド２０４によって開閉される。
【０００４】
カートリッジ本体２０１を構成する下ハーフ２０２には、図示しないが、ローディング空間部の両側に位置して一対のテープガイドが設けられている。磁気テープは、一方のテープリールから繰り出されてカートリッジ本体２０１の前面部に導かれ、ローディング空間部を横切るようにテープガイド間に掛け合わされて他方のテープリールに巻取られている。
【０００５】
テープカートリッジ２００は、記録再生装置に装填されると、ローディング空間部に進入するテープローディング手段により、上述したように磁気テープがカートリッジ本体２０１の内部から記録再生部へと引き出されてローディング動作が行われる。
【０００６】
また、上述したテープカートリッジ２００は、両側面部の後方側に位置して、複数個の略凹凸状の滑り止め凹凸部２０５が設けられている。ユーザーは、このテープカートリッジ２００に設けられた滑り止め凹凸部２０５を把持することにより、記録再生装置に対するテープカートリッジ２００の差し込み動作或いは取り出し動作を行う。
【０００７】
【発明が解決しようとする課題】
ところで、上述したテープカートリッジ２００は、滑り止め凹凸部２０５の後方側に位置して、アーム係合凹部２０６が設けられている。また、このテープカートリッジ２００は、アーム係合凹部２０６の後方側が平坦面２０７とされている。このテープカートリッジ２００は、チェンジャ装置側の一対のアーム２１０によって記録再生装置に差し込み動作或いは取り出し動作が行われる。
【０００８】
まず、このテープカートリッジ２００は、図示しない記録再生装置から排出されると、図２０に示すように、チェンジャ装置側の一対のアーム２１０によって平坦面２０７が把持されて取り出し位置まで引き出される。そして、このテープカートリッジ２００は、チェンジャ装置側の一対のアーム２１０によってこのアーム係合凹部２０６が係合され、上下方向の振れを規制した状態で、記録再生装置から取り出される。
【０００９】
ところが、テープカートリッジ２００は、図２０に示すように、上記取り出し位置まで引き出される際に、チェンジャ装置側の一対のアーム２１０によって平坦面２０７が把持されるだけなので、チェンジャ装置側の一対のアーム２１０から滑ってしまうことがある。このため、従来のテープカートリッジ２００では、アーム係合凹部２０６に確実に係合することができず、記録再生装置から取り出すことができないといった問題点があった。
【００１０】
また、このテープカートリッジ２００は、図２１に示すように、ケース本体とこのケース本体に開閉自在に支持された蓋体とからなるカートリッジ収納ケース２１１に収納される。カートリッジ収納ケース２１１は、蓋体の内側面に、テープカートリッジ２００の側面を位置決めするリブ２１２が一体に立ち上がり成形されている。このリブ２１２は、テープカートリッジ２００の平坦面２０７に対応して形成されている。テープカートリッジ２００は、ケース本体に挿入されて蓋体によって閉塞されると、リブ２１２により側面がガタツキが防止される。
【００１１】
ところが、テープカートリッジ２００は、カートリッジ収納ケース２１１に収納された際に、外部から与えられる振動により上下方向のガタツキが発生する。そして、テープカートリッジ２００は、図２１に示すように、平坦面２０７がカートリッジ収納ケース２１１のリブ２１２との間で面接触して摩耗し、摩耗粉が発生する。このため、テープカートリッジ２００は、内部に摩耗粉が進入し、磁気テープに記録した情報信号の読み取りや正確な情報信号の記録が不能となるといった問題点があった。
【００１２】
さらに、このテープカートリッジ２００は、上記アーム係合凹部２０６に位置したゲートから合成樹脂材料等が流し込まれて形成される。そして、テープカートリッジ２００は、アーム係合凹部２０６の表面でゲートが切り放される。このとき、テープカートリッジ２００は、図１９に示すように、アーム係合凹部２０６のゲートが切り放された位置に、ゲート跡２０８が残り、このゲート跡２０８の周囲にフローマーク２０９が形成される。このため、従来のデータカートリッジ２００では、これらゲート跡２０８、フローマーク２０９が目立つといった問題点があった。
【００１３】
したがって、本発明は、記録再生装置からの引き出し動作をチェンジャ装置によって確実に行わせるとともに、摩耗粉の発生を防止し、フローマークが目立つのを防止したテープカートリッジを提供することを目的に提案されたものである。
【００１４】
【課題を解決するための手段】
この目的を達成した本発明に係るテープカートリッジは、外周壁が一体に立ち上がり形成されたカートリッジ本体と、このカートリッジ本体の内部に回動自在に配設される一対のテープリールと、一方のテープリールから繰り出されて、他方のテープリールに巻取られる磁気テープとを備える。カートリッジ本体の外周壁には、チェンジャ装置側のアームに係合されるアーム係合凹部が設けられるとともに、この前方側には、滑り止め凹凸部が設けられ、このアーム係合凹部の後方側に形成された複数個の先端部が鋭利に形成された凸部からなるアーム引き出し凹凸部が設けられ、上記アーム引き出し凹凸部は、これら凸部から凸部までの長さ寸法が、上記アーム係合凹部の溝底部の長さ寸法より小とされるとともに、上記カートリッジ本体の外周壁は、上記アーム引き出し凹凸部の近傍の平坦面の長さ寸法が、上記アーム係合凹部の溝底部の長さ寸法より小とされている。
【００１５】
以上のように構成された本発明に係るテープカートリッジによれば、記録再生装置から排出されると、チェンジャ装置側の一対のアームによって引き出し凹凸部が確実に把持されて、取り出し位置まで引き出される。そして、テープカートリッジは、記録再生装置から取り出し位置まで引き出されると、チェンジャ装置側の一対のアームによってこのアーム係合凹部が係合されて、記録再生装置から取り出される。
【００１６】
【発明の実施の形態】
以下、本発明の具体的な実施の形態について、図面を参照して詳細に説明する。図１乃至図１８に本発明の実施の形態として示したテープカートリッジ１は、データ記録用のテープカートリッジであって、横長矩形の略浅皿状に形成された下ハーフ３と上ハーフ４とを互いに突き合わせて結合することによって薄箱状のカートリッジ本体２が構成される。テープカートリッジ１は、カートリッジ本体２に、ローディング空間部１０を開閉するフロントリッド６及びバックリッド７を組み合わすとともに、内部に磁気テープ８を巻回した一対のテープリール９Ａ、９Ｂが回転自在に収納されている。
【００１７】
なお、本明細書においては、図１に示したテープカートリッジ１の状態において、フロントリッド６が配設される手前側を「前」として、これを基準としてそれぞれ「前後」、「左右」及び「上下」の方向性を示すものとする。また、上述したテープリール９Ａ、９Ｂのように、一対で構成される部材については、説明の便宜上、最初に、テープリール９（９Ａ、９Ｂ）と表記して、以下特に一方側を説明する場合以外は、単にテープリール９と表記するものとする。
【００１８】
下ハーフ３は、金属製のベースプレート５に合成樹脂材料等でインサート等の射出成形を施すことにより形成されている。このベースプレート５は、図３に示すように、アルミ板や合金板等の金属材料により横長矩形状に形成されている。
【００１９】
また、ベースプレート５は、テープカートリッジ１に対して、所定の重量を付与するとともにねじりや曲げに対する機械的剛性を保持させる作用を奏する。ベースプレート５は、両面の全面に亘って多数個の反り修正凹部５Ａが設けられている。これによって、ベースプレート５は、この上下方向への反りが防止される。
【００２０】
また、ベースプレート５には、テープリール収納部１３の中央部に位置し円形のリール穴１４（１４Ａ、１４Ｂ）がそれぞれ開設されている。このリール穴１４の外周部は、後述するテープリール９の下フランジ部６４（６４Ａ、６４Ｂ）によって摩耗されることを防止する平坦面５Ｂとされている。
【００２１】
下ハーフ３は、図３に示すように、前面部１５を除く他の外周部に外周壁１１が一体に立ち上り形成されるとともに、底面部３Ａが中央から左右の２つの領域に区分されて構成されている。底面部３Ａには、区分された左右の領域部に、テープリール９がそれぞれ回転自在に収納されるテープリール収納部１３（１３Ａ、１３Ｂ）を構成する円弧状のテープリール収納壁１２（１２Ａ、１２Ｂ）が同一円周上に位置して一体に立設されている。
【００２２】
下ハーフ３は、開放された前面部１５の中央領域部に、中央部が底面部３Ａのやや内側に位置させた略矩形に切り欠かれた切欠き部１６が設けられている。下ハーフ３には、この切欠き部１６の立上り両側面壁を構成するようにして、一対の側面ガイドリブ１７（１７Ａ、１７Ｂ）が互いに相対向して底面部３Ａに一体に立設されている。これら側面ガイドリブ１７は、カートリッジ本体２の内部空間の高さ寸法よりもやや大とされた高さ寸法を有しており、先端部の外側面にテープガイド１８（１８Ａ、１８Ｂ）がそれぞれ形成されている。
【００２３】
テープガイド１８は、外周面が平滑な円弧面を呈して、側面ガイドリブ１７の先端部の外側面に一体に膨出形成されている。また、これらテープガイド１８は、外側の周面が前面部１５に対して後述するフロントリッド６の厚み寸法よりもやや内側に位置されている。
【００２４】
なお、実施の形態テープカートリッジ１においては、上述したようにテープガイド１８を、側面ガイドリブ１７の先端部の外側面に断面円弧状に一体に形成して構成したが、かかる構成に限定されるものでは無い。テープガイドは、例えば下ハーフ３の底面部３Ａに、切欠き部１６の両側に位置して一体に突設された一対の軸状凸部によって構成してもよい。また、テープガイドは、例えば下ハーフ３の底面部３Ａに、切欠き部１６の両側に位置して一体に突設された一対の支軸と、この支軸にそれぞれ組み合わされたスリーブによって構成してもよい。
【００２５】
側面ガイドリブ１７には、相対する内面に同一形状のリッドガイド溝１９（１９Ａ、１９Ｂ）がそれぞれ凹設されている。これらリッドガイド溝１９は、側面ガイドリブ１７の内側の先端部を起点として外側面の終端まで、高さ方向及び前後方向のほぼ全域に亘って前下がりのカム溝として凹設されている。また、これらリッドガイド溝１９は、凸字状の円弧溝と凹字状の円弧溝とが組み合わされた全体が略々Ｓ字状を呈している。
【００２６】
下ハーフ３には、切欠き部１６の内側の立上り周壁を構成するようにして外周リブ２０が底面部３Ａに一体に立設されている。この外周リブ２０は、側面ガイドリブ１７の高さ寸法に対して略１／２の高さ寸法を有しており、図３に示すように、両端がそれぞれ側面ガイドリブ１７の内側縁と一体に連結されている。この外周リブ２０には、中央部の内側に位置してテープ終端検出用光源進入部２１が一体に形成されている。
【００２７】
このテープ終端検出用光源進入部２１は、外周リブ２０の中央部に突設された内側に向いたコ字状の立壁と、この立壁と相対する円弧状の立壁と、下ハーフ３の底面部３Ａを貫通する光源進入穴とから構成されている。テープ終端検出用光源進入部２１は、コ字状の立壁と円弧状の立壁との間に、後述するテープ終端検出用光源６９の検出光の出射開口となる開口部がそれぞれ側方に位置して構成されている。また、外周リブ２０には、内面側に位置して、円弧状のテープリール収納壁２２（２２Ａ、２２Ｂ）が一端部を連結されて一体に形成されている。したがって、テープ終端検出用光源進入部２１は、外周リブ２０とテープリール収納壁２２に包絡された略正三角形の空間部に位置して設けられている。
【００２８】
リール収納壁２２は、上述したテープリール収納壁１２と同一円周上に位置して下ハーフ３の底面部３Ａに一体に突設されており、互いに協動して下ハーフ３側のテープリール収納部１３を構成している。なお、テープリール収納壁２２の他端部には、嵌合筒部３０の１個が一体に形成されている。また、下ハーフ３には、底面部３Ａの適宜の箇所に、それぞれ筒状の嵌合筒部３０が一体に突設されている。
【００２９】
下ハーフ３には、両側面部の前方側に位置して、テープ終端検出穴２３（２３Ａ、２３Ｂ）がそれぞれ開設されている。これらテープ終端検出穴２３は、外周リブ２０の内面に沿ったテープ終端検出用の光源６９の光路の延長線上に位置して外周壁１１にそれぞれ開設されている。
【００３０】
テープ終端検出用光源進入部２１は、上述したように全体として筒状を呈して構成されており、その上端開放部分に断面コ字状を呈する光源カバー７０が固定される。光源カバー７０は、後述するようにテープカートリッジ１が記録再生装置１０１に装填された状態において、この記録再生装置１０１側に配設されてテープ終端検出用光源進入部２１に進入されたテープ終端検出用の光源６９から出射される検出光の拡散を防止するとともにテープカートリッジ１内への塵埃等の進入を防止する。
【００３１】
下ハーフ３には、右側面部に、外周壁１１の一部をコ字状に折り返して内側壁１１Ａと外側壁１１Ｂとの間に前面部１５側に開口する前後方向のリッド開放ガイド溝２４が設けられている。リッド開放ガイド溝２４には、テープカートリッジ１が記録再生装置１０１に装填されると、この記録再生装置１０１側のリッド駆動部材が進入して後述するリッド構体をロック状態に保持するリッドロック機構を駆動する。
【００３２】
リッドロック機構は、リッドロックレバー７１から構成され、リッド開放ガイド溝２４に沿って下ハーフ３側に配設されている。すなわち、これらリッド開放ガイド溝２４を構成する外周壁１１には、上縁部にリッドロックレバー取付部２５が一体に形成されている。
【００３３】
リッドロックレバー７１は、詳細を省略するが、図２に示すように、それぞれリッド開放ガイド溝２４の幅とほぼ等しい厚みを有する全体略楔状に形成されている。これらリッドロックレバー７１は、上端部に軸状の支点部が形成されるとともに、前方側面部にカム部が一体に突設されている。リッドロックレバー７１は、支点部をリッドロックレバー取付部２５に相対係合させることによって下端部がリッド開放ガイド溝２４に臨ませられて下ハーフ３側に揺動自在に支持される。
【００３４】
下ハーフ３には、図３に示すように、外周リブ２０と対向する後方側のテープリール収納部１３Ａ、１３Ｂとの間に構成される略正三角形の空間部に位置して、リールロック取付部２７が設けられている。リールロック取付部２７は、互いに前後方向に平行に対峙して底面部３Ａに一体に立設された一対のガイド壁によって構成されており、後述するリールロック機構が配設される。リールロック取付部２７を構成するガイド壁間には、リールロック機構を駆動する記録再生装置１０１側のリールロック解除部材が進入するロック解除ガイド溝２８が開設されている。
【００３５】
リールロック機構は、図２に示すように、リールロック部材７３と、一対のリールロックレバー７４（７４Ａ、７４Ｂ）と、ロックスプリング７５等の部材によって構成されている。リールロック部材７３は、リールロック取付部２７のガイド壁間にスライド自在に組み込まれ、底面部にロック解除ガイド溝２８に臨む係合凹部が設けられている。リールロック部材７３は、立上り周壁１１との間に介挿されたロックスプリング７５の弾性力によって前面側へと付勢されている。
【００３６】
リールロックレバー７４は、可撓性を有しており、一端部がそれぞれリールロック部材７３の前面部にヒンジ部を介して回動自在に設けられている。これらリールロックレバー７４は、先端部に係合爪が一体に形成されており、左右方向へ付勢されている。
【００３７】
リールロック機構は、リールロック部材７３がロックスプリング７５の弾性力により前方側に移動された状態において、リールロックレバー７４の係合爪がロックレバースプリング７５の弾性力によって後述するテープリール９の下フランジ部６４の外周歯６５（６５Ａ、６５Ｂ）にそれぞれ相対係合される。したがって、リールロック機構は、通常の状態で、一方のテープリール９Ａを時計方向に対してロック状態に保持し、また他方のテープリール９Ｂを反時計方向に対してロツク状態に保持する。
【００３８】
また、リールロック機構は、テープカートリッジ１が記録再生装置１０１に装填されることにより、ロック解除ガイド溝２８に進入する記録再生装置１０１側のリールロック解除部材によって駆動される。リールロック機構は、リールロック解除部材によりリールロック部材７３がロックスプリング７５の弾性力に抗して後方側へと移動動作され、上述したリールロックレバー７４によるテープリール９のロック状態を解除する。
【００３９】
下ハーフ３は、後方側の底面部３Ａに、図４に示すように、テープ仕様識別穴７７（７７Ａ、７７Ｂ、７７Ｃ）、誤消去防止穴７８、位置決め穴７９等が設けられている。このテープ仕様識別穴７７は、記録再生装置１０１側の仕様識別機構によって、カートリッジ本体２に収納された磁気テープ８の信号フォーマット、記録密度等のテープ仕様を識別させる。誤消去防止穴７８は、目視や記録再生装置１０１側の仕様識別機構によって、記録された内容の消去の良否を識別させる。また、位置決め穴７９は、記録再生装置１０１側の位置決め部材が進入することによって、テープカートリッジ１を所定の位置に確実に装填させる。
【００４０】
また、下ハーフ３には、図５に示すように、後方側の右コーナ部に位置して、配線基板取付部９０が設けられている。この配線基板取付部９０は、内周面に亘って差込み溝が設けられている。この配線基板取付部９０には、図２に示すように、補助記憶装置９１が取り付けられている。
【００４１】
補助記憶装置９１は、図２に示すように、少なくとも配線基板９２と、この配線基板９２に実装されたメモリＩＣ９３と、このメモリＩＣ９３の入出力端子となる配線基板９２に印刷形成された複数の接点端子９４とから構成されている。メモリＩＣ９３には、例えば磁気テープ２に記録された情報信号の内容、磁気テープ仕様或いは使用状況等の識別情報が記録されている。接点端子９４は、図５に示すように、配線基板取付部９０に開設された接点端子開口部９０Ａから外方に望ませている。
【００４２】
この補助記憶装置９１は、メモリＩＣ９３に記録された識別情報が、記録再生装置１０１に設けられた補助記録再生装置１０１或いは別装置である補助記録再生装置によって読み取られ、さらに更新された識別情報がメモリＩＣ９３に記録される。
【００４３】
また、下ハーフ３には、図５に示すように、後方側の左コーナ部に位置して、誤消去防止部材取付開口部２９が設けられている。この誤消去防止部材取付開口部２９には、誤消去防止部材７６が移動自在に組み付けられている。誤消去防止部材７６は、下ハーフ５に開設された誤消去検出穴を開放する第１の位置２９Ａと、閉塞する第２の位置２９Ｂとに移動操作される。
【００４４】
テープカートリッジ１は、誤消去防止部材７６が誤消去検出穴７８を開放した第１の位置２９Ａに設定された状態で記録再生装置１０１に装填されると、記録再生装置１０１側の誤消去検出機構が誤消去検出穴７８を検出することによって磁気テープ８への情報信号の記録が禁止される。これによって、テープカートリッジ１は、磁気テープ８に記録された情報信号が誤って消去されることが防止される。
【００４５】
また、テープカートリッジ１は、誤消去防止部材７６が誤消去検出穴７８を閉塞した第２の位置２９Ｂに設定された状態で記録再生装置１０１に装填されると、誤消去検出機構による誤消去検出穴７８の検出が行われないため、磁気テープ８への情報信号の記録が許可される。
【００４６】
下ハーフ３は、図６及び図７に示すように、テープ仕様識別穴７７Ａの近傍の外周壁１１に位置して、チェンジャ装置１０２の一対のアーム１０３（１０３Ａ、１０３Ｂ）が把持する一対のアーム係合凹部８１（８１Ａ、８１Ｂ）が設けられている。一対のアーム係合凹部８１は、外周壁１１の基端部を起点として外周壁１１の先端部まで略凹字状の係合溝が形成されている。また、一対のアーム係合凹部８１は、図８に示すように、溝底部８１ｃ側の内形寸法より開口部側の内形寸法が大とされるように前方傾斜面８１ａ及び後方傾斜面８１ｂがそれぞれ設けられている。後方傾斜面８１ｂには、図６及び図７に示すように、合成樹脂材料等を流し込んで下ハーフ３を形成するゲートが切り放された位置に、ゲート跡９９が残っている。
【００４７】
テープカートリッジ１は、チェンジャ装置１０２に装填されると、チェンジャ装置１０２側の一対のアーム１０３によってこの一対のアーム係合凹部８１が係合されることによって、記録再生装置１０１に対して差し込み動作或いは取り出し動作が行われる。
【００４８】
また、下ハーフ３は、図６及び図７に示すように、両側面部に設けられた一対のアーム係合凹部８１の後方側に位置して、複数個の略凹凸状の一対のアーム引き出し凹凸部９５（９５Ａ、９５Ｂ）が設けられている。一対のアーム引き出し凹凸部９５は、図８に示すように、各先端部が鋭利に形成された凸部９５ａから構成されている。
【００４９】
これら凸部９５ａから凸部９５ａまでの長さ寸法αは、一対のアーム係合凹部８１の溝底部８１ｃの長さ寸法βより小とされている。また、下ハーフ３の外周壁は、一対のアーム引き出し凹凸部９５の近傍の平坦面９６の長さ寸法γが、一対のアーム係合凹部８１の溝底部８１ｃの長さ寸法βより小とされている。このため、一対のアーム引き出し凹凸部９５は、凸部９５ａがチェンジャ装置１０２側の一対のアーム１０３によって確実に接触される。
【００５０】
ゲート跡９９の周囲には、フローマーク１００が形成される。しかしながら、一対のアーム引き出し凹凸部９５は、図６及び図７に示すように、複数個の凸部９５ａによって、このフローマーク１００を目立たないようにしている。
【００５１】
下ハーフ３は、図８に示すように、両側面部に設けられた一対のアーム係合凹部８１の前方側に位置して、複数個の略凹凸状の滑り止め凹凸部８４（８４Ａ、８４Ｂ）が設けられている。テープカートリッジ１は、ユーザーが滑り止め凹凸部８４を把持することにより、記録再生装置１０１に対して差し込み動作或いは取り出し動作が行われる。
【００５２】
上ハーフ４は、図９に示すように、前面部３６を除く他の外周部に外周壁３１が一体に立ち上り形成されるとともに、底面部４Ａが中央から左右の２つの領域に区分されて構成されている。底面部４Ａの内面には、区分された左右の領域に、上述した下ハーフ３のテープリール収納部１３と協動してテープリール９をそれぞれ回転自在に収納する上ハーフ４側のリール収納部３３（３３Ａ、３３Ｂ）を構成する複数の円弧状のテープリール収納壁３２（３２Ａ、３２Ｂ）が同一円周上に位置して一体に立設されている。底面部４Ａには、テープリール収納部３３の一部の領域を透視可能とする略横長矩形のウインド３４が設けられている。
【００５３】
上ハーフ４は、開放された前面部３６の中央領域部に、中央部を底面部４Ａに略矩形の切欠き部３７が設けられるとともに、この切欠き部３７の両側部分の前端部３５（３５Ａ、３５Ｂ）が庇状に突出されて構成されている。
【００５４】
上ハーフ４には、切欠き部３７の内側の立上り周壁を構成するようにして外周リブ３９が底面部４Ａに一体に立設されている。この外周リブ３９は、外周壁３１とほぼ等しい高さ寸法を有しているが、中央部分が下ハーフ３側に形成したテープ終端検出用光源進入部２１に対応してやや低い高さとされている。
【００５５】
外周リブ３９は、後述するように上ハーフ４を下ハーフ３に組み合わせた状態において、下ハーフ３側の側面ガイドリブ１７の内側に対応位置される。したがって、これら外周リブ３９の両端部と側面ガイドリブ１７とは、下ハーフ３と上ハーフ４とを組み合わせるに際して、最初に衝合される。そして、外周リブ３９は、下ハーフ３と上ハーフ４とを組み合わせた状態において、側面ガイドリブ１７の内側縁と近接して対向位置される。
【００５６】
外周リブ３９には、中央部の内側に位置して下ハーフ３側のテープ終端検出用光源進入部２１に対応して光源カバー押さえ部４１が一体に形成されている。この光源カバー押さえ部４１は、上ハーフ４を下ハーフ３に組み合わせた状態において、テープ終端検出用光源進入部２１に組み合わされた光源カバー７０を係止する。光源カバー押さえ部４１の内側には、嵌合筒部４７の１個が一体に形成されている。また、上ハーフ４には、底面部４Ａの適宜の箇所に、それぞれ筒状の嵌合筒部４７が一体に突設されている。
【００５７】
上ハーフ４には、両側面の外周壁３１の前方部に、互いに軸線が一致されて断面Ｕ字状のフロントリッド係合凹部４４（４４Ａ、４４Ｂ）がそれぞれ設けられている。
【００５８】
さらに、上ハーフ４には、フロントリッド係合凹部４４Ｂの後方側に位置して前後方向のリッドロックガイド凹部４５が凹設されている。これらリッドロックガイド凹部４５は、上ハーフ４を下ハーフ３に組み合わせた状態において、この下ハーフ３側の上述したリッドロックレバー取付部２５にそれぞれ対応位置する。
【００５９】
上ハーフ４には、底面部４Ａの内面にリール押さえバネ取付部４６（４６Ａ、４６Ｂ）が設けられている。これらリール押さえバネ取付部４６は、ウインド３４の前方側でかつリール収納部３３の中心線上に位置して形成されている。リール押さえバネ取付部４６には、一端部を熱溶着等することによって固定されたリール押さえバネ６８（６８Ａ、６８Ｂ）がそれぞれ固定されている。これらリール押さえバネ６８は、先端部がそれぞれテープリール９に当接して下ハーフ３側へと押し付けることにより、カートリッジ本体２の内部においてこれらテープリール９の高さ方向の遊動を防止している。
【００６０】
上ハーフ４は、図６及び図７に示すように、下ハーフ３の一対のアーム係合凹部８１に対応して、チェンジャ装置１０２の一対のアーム１０３が把持する一対のアーム係合凹部８５（８５Ａ、８５Ｂ）が設けられている。一対のアーム係合凹部８５は、外周壁１１の基端部を起点として外周壁１１の先端部まで略凹字状の係合溝が形成されている。また、一対のアーム係合凹部８５は、１０に示すように、溝底部８５ｃ側の内形寸法より開口部側の内形寸法が大とされるように前方傾斜面８５ａ及び後方傾斜面８５ｂがそれぞれ設けられている。
【００６１】
後方傾斜面８１ｂには、図６及び図７に示すように、合成樹脂材料等を流し込んで上ハーフ４を形成するゲートが切り放された位置に、ゲート跡９９が残っている。テープカートリッジ１は、チェンジャ装置１０２に装填されると、チェンジャ装置１０２側の一対のアーム１０３によってこの一対のアーム係合凹部８５が係合されることによって、記録再生装置１０１に対して差し込み動作或いは取り出し動作が行われる。
【００６２】
また、上ハーフ４は、図６及び図７に示すように、両側面部に設けられた一対のアーム係合凹部８５の後方側に位置して、複数個の略凹凸状の一対のアーム引き出し凹凸部９７（９７Ａ、９７Ｂ）が設けられている。一対のアーム引き出し凹凸部９７は、図１０に示すように、各先端部が鋭利に形成された凸部９７ａから構成されている。
【００６３】
これら凸部９７ａから凸部９７ａまでの長さ寸法αは、一対のアーム係合凹部８５の溝底部８５ｃの長さ寸法βより小とされている。また、上ハーフ４の外周壁は、一対のアーム引き出し凹凸部９７の近傍の平坦面９８の長さ寸法γが、一対のアーム係合凹部８５の溝底部８５ｃの長さ寸法βより小とされている。このため、一対のアーム引き出し凹凸部９７は、この先端部がチェンジャ装置１０２側の一対のアーム１０３によって確実に接触される。
【００６４】
ゲート跡９９の周囲には、フローマーク１００が形成される。しかしながら、一対のアーム引き出し凹凸部９５は、図６及び図７に示すように、複数個の凸部９５ａによって、このフローマーク１００を目立たないようにしている。
【００６５】
上ハーフ４は、図１０に示すように、両側面部に設けられた一対のアーム係合凹部８５の前方側に位置して、複数個の略凹凸状の滑り止め凹凸部８６（８６Ａ、８６Ｂ）が設けられている。テープカートリッジ１は、ユーザーが滑り止め凹凸部８６を把持することにより、記録再生装置１０１に対して差し込み動作或いは取り出し動作が行われる。
【００６６】
これら上ハーフ４と下ハーフ３とは、図２に示すように、それぞれ相対向する外周壁１１と外周壁３１、テープリール収納壁１２とリール収納壁３２、外周リブ２０と外周リブ３９及び嵌合筒部３０と嵌合筒部４７とをそれぞれ突き合わせて組み合わされた状態で、嵌合筒部３０と嵌合筒部４７とにねじ込んだ止めねじによって一体に結合されて、上述した薄箱状のカートリッジ本体２を構成する。
【００６７】
カートリッジ本体２は、図１に示すように、外周壁１１と外周壁３１、外周リブ２０と外周リブ３９とによって、前面部を除く外周部が閉塞され、内部には下ハーフ３側のテープリール収納部１３Ａ、１３Ｂと上ハーフ４側のテープリール収納部３３Ａ、３３Ｂとが協動して、長手方向に隣り合った２つの円形空間であるテープリール収納部が構成される。
【００６８】
以上のように構成されたカートリッジ本体２には、図２に示すように、開放された前面部にフロントリッド６及びバックリッド７からなるリッド構体が組み合わされる。フロントリッド６は、図２に示すように、カートリッジ本体２の前面部を閉塞するに足る長さ及び高さを有する矩形板状の主面部４８と、この主面部４８の両端部にそれぞれ後方側に向かって一体に突設された側面部４９（４９Ａ、４９Ｂ）とからなり、断面略々コ字状を呈して構成されている。フロントリッド６は、主面部４８の内面に、それぞれ突出されて後述するバックリッド７との連結を行うための連結部５０（５０Ａ、５０Ｂ）が一体に形成されている。
【００６９】
また、フロントリッド６は、側面部４９の内面に互いに軸線を一致させて支軸部５１（５１Ａ、５１Ｂ）がそれぞれ一体に突設されている。また、一方側面部４９Ａには、先端部の内面側に軸状のカム凸部５２が一体に突設されている。一方支軸部５１Ｂには、トーションスプリングからなるフロントリッドスプリング５３が装着されている。
【００７０】
バックリッド７は、カートリッジ本体２のローディング空間部１０を閉塞するに足る長さ及び高さを有する矩形板状の第１の主面部５４と、上ハーフ４の前端部３５とほぼ等しい長さ及び幅を有する矩形板状の第２の主面部５７とを一体に形成して構成されている。バックリッド７は、この第１の主面部５４の両側上縁部に、軸状の支点部５５（５５Ａ、５５Ｂ）がそれぞれ一体に突設され、第１の主面部５４の両側下縁部に、軸状のカム凸部５６（５６Ａ、５６Ｂ）がそれぞれ一体に突設されている。バックリッド７は、第１の主面部５４の下方部が次第に前面側へと傾斜する傾斜面として構成されている。
【００７１】
フロントリッド６は、連結部５０がバックリッド７の支点部５５にそれぞれ相対係合されることによって、図２に示すように、バックリッド７の前方部に回動自在に組み合わされる。このようにして、フロントリッド６及びバックリッド７は、互いに組み合わされてリッド構体を構成する。リッド構体は、カートリッジ本体２に組み合わされた状態において、所定の間隔を以って互いに平行に対峙するフロントリッド６とバックリッド７との間に磁気テープ８が延在させる。
【００７２】
リッド構体は、カム凸部５６がそれぞれ下ハーフ３側の側面ガイドリブ１７に形成されたリッドガイド溝１９に相対係合することにより、バックリッド７がカートリッジ本体２に組み合わされる。バックリッド７は、フロントリッド６の内側に位置しかつローディング空間部１０の前方部を閉塞する。リッド構体は、支軸部５１を上ハーフ４側のフロントリッド係合凹部４４に係合されることにより、フロントリッド６がカートリッジ本体２に組み合わされる。
【００７３】
フロントリッド６は、カートリッジ本体２に組み合わされた状態において、開放された前面部を全域に亘って閉塞する。フロントリッド６の支軸部５１は、上ハーフ４の外周壁３１に突き合わされる下ハーフ３側の両外周壁１１によって、フロントリッド係合凹部４４内で回動自在な状態で係止保持される。フロントリッド６は、一方支軸部５１Ｂに装着したフロントリッドスプリング５３の弾性力により、カートリッジ本体２の前面部を閉塞する方向に付勢されている。
【００７４】
また、フロントリッド６は、カートリッジ本体２に組み合わされた状態において、ロックカム部５２がそれぞれ下ハーフ３側のリッド開放ガイド溝２４にそれぞれ臨ませられる。ロックカム部５２は、上述したように、リッド開放ガイド溝２４に臨ませられて下ハーフ３側に組み付けられたリッドロック機構を構成するリッドロックレバー７１のカム部とそれぞれ相対係合されることにより、カートリッジ本体２の前面部を閉塞した状態に保持される。
【００７５】
磁気テープ８は、図２に示すように、先端部にそれぞれ透明なリーディングテープ６１がセンシングテープを介して接続されている。磁気テープ８は、両端のリーディングテープ６１がテープリール９にそれぞれ固定されて巻回される。テープリール９は、左右同一に構成されており、以下、一方のテープリール９Ａの構成について代表して説明する。
【００７６】
テープリール９は、図２に示すように、外周部に磁気テープ８が巻回されるとともに中心に記録再生装置１０１側のリール駆動軸が嵌合されるリール駆動軸嵌合穴６３（６３Ａ、６３Ｂ）が設けられた筒状のコア部６２（６２Ａ、６２Ｂ）と、このコア部６２の下側面の外周部に一体に形成された下フランジ部６４と、コア部６２に結合される上フランジ部材６６及び磁気テープ８を固定するためのクランパー６７とから構成されている。コア部６２は、詳細を省略するが、中心コアと、複数の放射状リブを介して同心に連設されて外周部に磁気テープ８が巻回される外周コアとから構成されている。リール駆動軸嵌合穴６３は、これら中心コアと外周コアとで構成されるとともに放射状リブによって区割りされた環状空間部によって構成されている。
【００７７】
コア部６２には、中心コアの上端面に、上フランジ部材６６が組み合わされる際の位置決めダボが設けられている。コア部６２は、クランパー６７を嵌合するために、外周コアの一部が軸方向に切り欠かれている。放射状リブは、リール駆動軸嵌合穴６３に嵌合される記録再生装置１０１側のリール駆動軸の外周部に形成された回止めリブと相対係合することにより、テープリール９が回転方向に対して一体化されるように作用する。
【００７８】
上述したコア部６２と一体に形成された下フランジ部６４は、カートリッジ本体２のリール収納部の内径に対してやや小径とされ、外周面の全周に亘って上述したリールロック機構のリールロックレバー７４が相対係合する外周歯６５が一体に形成されている。外周歯６５は、例えば一方向性のラチェット歯等によって構成されており、相対係合されたリールロックレバー７４によってテープリール９を磁気テープ８の繰り出し方向に対してロック状態とする。
【００７９】
上フランジ部材６６は、中心に形成した位置決め穴が位置決めダボに相対係合されて位置合わせされた状態でコア部６２の上面側に組み合わされる。コア部６２と上フランジ部材６６は、互いに組み合わされた状態で、超音波溶着処理等を施すことによって一体化される。上フランジ部材６６は、例えば透明な合成樹脂材料によって成形されることにより、コア部６２に巻回された磁気テープ８の状態を上ハーフ４のウインド３４から透視可能としている。
【００８０】
以上のように構成されたテープリール９は、リール駆動軸嵌合穴６３を下ハーフ３のリール穴１４ら臨ませて、それぞれカートリッジ本体２のテープリール収納部内に回転自在に収納される。テープリール９は、上述したようにリールロック機構によって磁気テープ８の繰り出し方向の回転が規制されている。テープリール９は、上述したようにリール押さえバネ６８によって高さ方向の遊動が規制される。
【００８１】
磁気テープ８は、右側テープリール９Ａの外周壁１１側から繰り出されて右側テープガイド１８Ａに掛け合わされる。磁気テープ８は、カートリッジ本体２の前面部に沿って導かれてローディング空間部１０を横断して左側テープガイド１８Ｂに掛け合わされ、外周壁１１側から左側テープリール１８Ｂに巻き取られる。磁気テープ８は、ローディング空間部１０を横断する部分が、フロントリッド６とバックリッド７との間に延在されることによって、保護されている。
【００８２】
以上のように構成された実施の形態テープカートリッジ１は、記録再生装置１０１の挿入口から差し込まれると、この記録再生装置１０１の装填部へと装填される。テープカートリッジ１は、記録再生装置１０１に装填されると、カートリッジ本体２のリール穴１４から記録再生装置１０１側のリール駆動軸がそれぞれ進入してテープリール９のリール駆動軸嵌合穴６３にそれぞれ係合される。
【００８３】
テープカートリッジ１は、記録再生装置１０１側のリッドロック解除部材がリッド開放ガイド溝２４に進入してリッドロック機構を駆動する。リッドロック機構を構成するリッドロックレバー７１は、リッドロック解除部材によって回動動作されて、リッド構体を構成するフロントリッド６のロック状態を解除する。
【００８４】
リッド構体は、フロントリッド６が、上述したリッドロック機構によるロック状態が解除された状態で、リッド開放ガイド溝２４に進入するリッド駆動部材によってフロントリッドスプリング５３の弾性力に抗して回動動作される。フロントリッド６は、支軸部５１を支点として、図１において反時計方向へと回動動作するとともに、連結部５０を介してバックリッド７を駆動する。
【００８５】
バックリッド７は、支点部５５がフロントリッド６の連結部５０に回動自在に支持されながら、ガイドカム５９が係合するリッドガイド溝１９の前方部から後方部へと移動することによって、上ハーフ４の後方側へとやや回動しながらスライド動作する。
【００８６】
バックリッド７は、フロントリッド６に対向した状態から、バックリッド７に重ね合わされるようにして回動動作する。なお、フロントリッド６は、カートリッジ本体２の前面部を開放した状態において、側面部４９に設けられたテープ終端検出穴４９ａ、４９ｂがカートリッジ本体２のテープ終端検出穴２３にそれぞれ対向位置する。
【００８７】
テープカートリッジ１は、上述したリッド構体の動作によって、フロントリッド６によるカートリッジ本体２の前面部の閉塞状態及びバックリッド７によるローディング空間部１０の閉塞状態がそれぞれ開放状態へと移行される。開放されたローディング空間部１０には、磁気テープ８が横断した状態で露呈される。
【００８８】
テープカートリッジ１は、記録再生装置１０１側のリールロック解除部材によってロック解除ガイド溝２８に進入されてリールロック機構が駆動される。リールロック解除部材は、ロックレバースプリング７５の弾性力に抗してリールロック部材７３を後方側へと移動動作させる。リールロックレバー７４は、このリールロック部材７３の動作によって、テープリール９の外周歯６５との係合状態が解除されてテープリール９を回転可能な状態とする。
【００８９】
記録再生装置１０１側のローディング機構は、開放されたローディング空間部１０に進入し、テープリール９から磁気テープ８を引き出して記録再生部へとローディングさせる。テープカートリッジ１には、記録再生装置１０１側のテープ終端検出用の光源６９がテープ終端検出用光源進入部２１に進入する。
【００９０】
テープカートリッジ１は、記録操作、再生操作或いは早送り操作、巻戻し操作等が行われることにより、リール駆動軸が駆動されてテープリール９が回転駆動される。テープ終端検出用の光源６９は、磁気テープ８の駆動動作によって電源が供給されて検出光を出射する。検出光は、下ハーフ３の外周リブ２０及び上ハーフ４の外周リブ３９に沿ってテープ走行路を横切って外周壁１１に設けられたテープ終端検出穴２３へと導かれる。
【００９１】
検出光は、テープ走行路に磁気テープ８が存在する場合には、この磁気テープ８に反射されてテープ終端検出穴２３からカートリッジ本体２の外方へと露光されない。一方、検出光は、テープ走行路に透明なリーダテープ６１が存在する場合には、このリーダテープ６１を透過してテープ終端検出穴２３からカートリッジ本体２の外方へと露光されて記録再生装置１０１側のテープ終端検出センサによって検出される。記録再生装置１０１は、このテープ終端検出センサの出力によってリール駆動軸を停止させて、磁気テープ８の送り動作を停止させる。
【００９２】
テープカートリッジ１は、記録操作、再生操作或いは早送り操作、巻戻し操作等が終了すると、記録再生装置１０１側のリールロック解除部材がロック解除ガイド溝２８から退出することによって、ロックレバースプリング７５の弾性力によりリールロック部材７３が前方側へと移動動作される。リールロックレバー７４は、このリールロック部材７３の動作によって、テープリール９の外周歯６５と再び係合してテープリール９を磁気テープ８の繰り出し方向に対してロック状態とする。
【００９３】
テープカートリッジ１は、リッド開放ガイド溝２４から記録再生装置１０１側のリッド駆動部材及びリッドロック解除部材が退出することによって、リッド構体が初期状態へと復帰動作する。リッド構体は、フロントリッドスプリング５３の弾性力により、フロントリッド６が支軸部５１を支点として、図１において時計方向へと回動動作してカートリッジ本体２の前面部を閉塞する方向に復帰回動する。フロントリッド６は、連結部５０を介してバックリッド７を復帰動作させる。
【００９４】
バックリッド７は、ガイドカム５９が係合するリッドガイド溝１９の後方部から前方部へと移動することにより、上ハーフ４に沿って前方側へとスライド動作するとともに、バックリッド７を駆動する。バックリッド７は、カム凸部５６が係合する側面ガイドリブ１７のリッドガイド溝１９の上方部から下方部へと移動することによって、ローディング空間部１０を閉塞する初期位置へと復帰動作する。
【００９５】
リッドロック機構は、上述した動作によって初期位置へと復帰したフロントリッド６のロックカム部５２にリッドロックレバー７１のカム部が相対係合することによって、リッド構体をロック状態に保持する。テープカートリッジ１は、リッド構体によってカートリッジ本体２の前面部及びローディング空間部１０が閉塞された状態で、リール穴１４から記録再生装置１０１側のリール駆動軸が退出し、記録再生装置１０１の挿入口から排出される。
【００９６】
テープカートリッジ１は、記録再生装置１０１の挿入口から排出されると、図１１に示すように、チェンジャ装置１０２側の一対のアーム１０３によって引き出し凹凸部９５、９７が把持されて記録再生装置１０１の取り出し位置１０４まで引き出される。このとき、一対のアーム引き出し凹凸部９５は、図１２に示すように、チェンジャ装置１０２側の一対のアーム１０３によって平坦面９６、９８が把持されてもこの凸部９５ａが確実に接触される。
【００９７】
テープカートリッジ１は、図１３に示すように、記録再生装置１０１の取り出し位置１０４まで引き出されると、チェンジャ装置１０２側の一対のアーム１０３によって記録再生装置１０１から取り出される。このとき、この一対のアーム係合凹部８１、８５は、図１４に示すように、チェンジャ装置１０２側の一対のアーム１０３によって確実に係合される。
【００９８】
また、このテープカートリッジ１は、図１５に示すように、ケース本体１１１とこのケース本体１１１に開閉自在に支持された蓋体１１２とからなるカートリッジ収納ケース１１０に収納される。
【００９９】
このケース本体１１１は、透明な合成樹脂材料によって形成されている。ケース本体１１１は、この略矩形板状の一方主面の一側部にポケット状の収納部１１３が設けられるとともに、この収納部１１３の両側面に互いに軸線を一致させて軸穴１１４が設けられている。
【０１００】
また、蓋体１１２は、透明な合成樹脂材料によって一方主面の外周縁に沿って外側壁部が立設された略角浅皿状に形成されて、この外側壁部の一辺部が開放されている。また、蓋体１１２には、この外側壁部の一辺部が開放されている開放部を挟んだ両外側壁部の内面に、ケース本体１１１の軸穴に対応して互いに軸線を一致させてダボが突設されている。さらに、蓋体１１２には、開放部と対向する側の両外側壁部の内面に、テープカートリッジ１の側面を位置決めするリブ１１５が一体に立ち上がり成形されている。このリブ１１５は、テープカートリッジ１の一対のアーム引き出し凹凸部９５、９７に対応して形成されている。
【０１０１】
カートリッジ収納ケース１１０は、蓋体１１２の開放部側の両外側壁部を広げた状態で蓋体１１２をケース本体１１１に組み合わせるとともに、ダボが軸穴１１４に嵌合することによって、ケース本体１１１に蓋体１１２が開閉自在に取り付けられて完成される。
【０１０２】
テープカートリッジ１は、図１６に示すように、この一側部がケース本体１１１の収納部１１３に挿入され、蓋体１１２に閉塞されて、カートリッジ収納ケース１１０に収納される。このとき、テープカートリッジ１は、図１７に示すように、一対のアーム引き出し凹凸部９５、９７がリブ１１５により支持されてガタツキが防止される。一対のアーム引き出し凹凸部９５、９７は、図１８に示すように、凸部９５ａ、９７ａが蓋体１１２のリブ１１５に線接触している。
【０１０３】
上述した実施の形態テープカートリッジ１においては、カートリッジ本体２の外周壁１１、３１に、先端部が鋭利に形成された複数個の凸部９５ａ、９７ａからなる一対のアーム引き出し凹凸部９５、９７が設けられたことにより、記録再生装置１０１から排出されると、チェンジャ装置１０２側の一対のアーム１０３によって引き出し凹凸部９５、９７が把持されて、記録再生装置１０１からの引き出し動作をチェンジャ装置１０２によって確実に行わせることができる。
【０１０４】
また、このテープカートリッジ１は、カートリッジ収納ケース１１０に収納されると、一対のアーム引き出し凹凸部９５、９７がカートリッジ収納ケース１１０の内面に立ち上がり形成されたリブ１１５により支持されてガタツキが防止される。このとき、テープカートリッジ１は、一対のアーム引き出し凹凸部９５、９７の複数個の凸部９５ａ、９７ａがリブ１１５に線接触しているので、摩耗を防止して摩耗粉の発生を防止し、磁気テープ８の保護が図られる。
【０１０５】
さらに、このテープカートリッジ１は、ゲート跡９９の周囲に形成されるフローマーク１００に位置して一対のアーム引き出し凹凸部９５、９７が形成されているので、複数個の凸部９５ａ、９７ａによって、このフローマーク１００が目立つのを防止している。
【０１０６】
なお、本発明は、リッド構体を、フロントリッド６と、バックリッド７の２つのリッドによって構成した実施の形態テープカートリッジ１以外に、例えばバックリッド７が二分されて連結され、側面ガイドリブ１７に形成したリッドガイド溝１９に規制されて動作するように構成したテープカートリッジにも適用される。
【０１０７】
また、本発明は、データ記録用のテープカートリッジ１以外に、リッド構体の無いテープカートリッジや、８ｍｍ幅や１／４インチ幅等の多様なテープ幅の磁気テープが収納されたテープカートリッジにも適用される。
【０１０８】
【発明の効果】
上述したように、本発明に係るテープカートリッジによれば、カートリッジ本体の外周壁に、先端部が鋭利に形成された複数個の凸部からなるアーム引き出し凹凸部が設けられたことにより、記録再生装置から排出されると、チェンジャ装置側の一対のアームによって引き出し凹凸部が把持されて、記録再生装置からの引き出し動作をチェンジャ装置によって確実に行わせることができる。
このとき、アーム引き出し凹凸部の近傍の平坦面の長さ寸法がアーム係合凹部の溝底部の長さ寸法より小とされていることにより、チェンジャ装置側の一対のアームによって平坦面が把持されても先端部が鋭利に形成された複数個の凸部が確実に接触され、引き出し動作が確実に行われる。
また、カートリッジ本体の外周壁に、滑り止め凹凸部が設けられたことにより、テープカートリッジは、ユーザーが滑り止め凹凸部を把持することで、記録再生装置に対して差し込み動作或いは取り出し動作を確実に行うことができる。
【０１０９】
さらに、このテープカートリッジは、カートリッジ収納ケースに収納されると、アーム引き出し凹凸部がカートリッジ収納ケースの内面に立ち上がり形成されたリブにより支持されてガタツキが防止される。このとき、テープカートリッジは、アーム引き出し凹凸部の複数個の凸部がリブに線接触しているので、摩耗を防止して摩耗粉の発生を防止し、磁気テープの保護を図ることができる。
【０１１０】
さらにまた、このテープカートリッジは、ゲート跡の周囲に形成されるフローマークに位置してアーム引き出し凹凸部が形成されているので、複数個の凸部によって、このフローマークの目立つのを防止することができる。
【図面の簡単な説明】
【図１】本発明に係る実施の形態テープカートリッジを示す斜視図である。
【図２】同テープカートリッジを示す分解斜視図である。
【図３】同テープカートリッジの下ハーフを示す平面図である。
【図４】同テープカートリッジの下ハーフを示す底面図である。
【図５】同テープカートリッジを示す背面図である。
【図６】同テープカートリッジを示す右側面図である。
【図７】同テープカートリッジを示す左側面図である。
【図８】上記下ハーフのアーム係合凹部、アーム引き出し凹凸部を示す拡大平面図である。
【図９】上記テープカートリッジの上ハーフを示す底面図である。
【図１０】上記上ハーフのアーム係合凹部、アーム引き出し凹凸部を示す拡大平面図である。
【図１１】チェンジャ装置のアームに引き出される上記テープカートリッジを示す底面図である。
【図１２】上記チェンジャ装置のアームに把持された上記アーム引き出し凹凸部を示す拡大底面図である。
【図１３】上記チェンジャ装置のアームに取り出される上記テープカートリッジを示す底面図である。
【図１４】上記チェンジャ装置のアームに係合された上記アーム係合凹部を示す拡大底面図である。
【図１５】上記テープカートリッジが収納されるカートリッジ収納ケースを示す縦断面図である。
【図１６】上記カートリッジ収納ケースに収納された上記テープカートリッジを示す右側面図である。
【図１７】上記カートリッジ収納ケースに収納された上記テープカートリッジを示す底面図である。
【図１８】上記カートリッジ収納ケースのリブに線接触された上記アーム引き出し凹凸部を示す拡大底面図である。
【図１９】従来のテープカートリッジを示す側面図である。
【図２０】チェンジャ装置のアームに引き出される従来のテープカートリッジを示す拡大底面図である。
【図２１】カートリッジ収納ケースに収納された従来のテープカートリッジを示す拡大底面図である。
【符号の説明】
１１，３１  外周壁、  ２  カートリッジ本体、  ９Ａ，９Ｂ  テープリール、  ８  磁気テープ、  １０２  チェンジャ装置、  １０３  アーム、  ８１，８５  アーム係合凹部、  ９５ａ，９７ａ  凸部、  ９５，９７  アーム引き出し凹凸部
【図１】
0003857348.tif 000002
【図２】
0003857348.tif 000003
【図３】
0003857348.tif 000004
【図４】
0003857348.tif 000005
【図５】
0003857348.tif 000006
【図６】
0003857348.tif 000007
【図７】
0003857348.tif 000008
【図８】
0003857348.tif 000009
【図９】
0003857348.tif 000010
【図１０】
0003857348.tif 000011
【図１１】
0003857348.tif 000012
【図１２】
0003857348.tif 000013
【図１３】
0003857348.tif 000014
【図１４】
0003857348.tif 000015
【図１５】
0003857348.tif 000016
【図１６】
0003857348.tif 000017
【図１７】
0003857348.tif 000018
【図１８】
0003857348.tif 000019
【図１９】
0003857348.tif 000020
【図２０】
0003857348.tif 000021
【図２１】
0003857348.tif 000022